(57)【要約】【課題】  位置に関する情報を表示する処理の遅延を軽減し、処理時間を短縮できる移動体通信端末、移動体通信システム及び移動体通信方法を提供すること。【解決手段】  本発明にかかる移動体通信システムは、通信エリア７で通信する携帯端末１と、携帯端末１と基地局２を介して接続されるコンテンツサーバ４と、を有する移動体通信システムであって、コンテンツサーバ４は、地図情報４１１を記憶する記憶部４１を有し、携帯端末１は、通信する通信エリア７の切り替えに応じて、切り替え先の通信エリア７に関する情報を、コンテンツサーバ４から取得し、携帯端末１の位置に基づく情報を表示するものである。【選択図】  図１
2006217105.tif 000002
【特許請求の範囲】
【請求項１】
複数の通信エリアを有する移動体通信網と、前記複数の通信エリアのいずれかの通信エリアで通信する移動体通信端末と、前記移動体通信端末と前記移動体通信網を介して接続されるコンテンツ配信サーバと、を有する移動体通信システムであって、
前記コンテンツ配信サーバは、前記複数の通信エリアに関する複数のコンテンツ情報を記憶する記憶部を有し、
前記移動体通信端末は、
通信する前記通信エリアを切り替える通信エリア切り替え部と、
前記通信エリアの切り替えに応じて、前記コンテンツ配信サーバに記憶された複数のコンテンツ情報のうち、切り替え先の前記通信エリアに関するコンテンツ情報を、前記コンテンツ配信サーバから取得する取得部と、
前記取得したコンテンツ情報のうち、前記移動体通信端末の位置に基づいたコンテンツ情報を表示する表示部と、を有する、
移動体通信システム。
【請求項２】
前記取得部は、前記通信エリアを切り替えたときに、切り替え先の前記通信エリアに関するコンテンツ情報を取得する、
請求項１に記載の移動体通信システム。
【請求項３】
前記取得部は、前記通信エリアを切り替えた後、所定の期間経過したときに、切り替え先の前記通信エリアに関するコンテンツ情報を取得する、
請求項１に記載の移動体通信システム。
【請求項４】
前記通信エリア切り替え部は、前記移動体通信端末が異なる通信エリアに移動したことを検出し、移動先の前記通信エリアで位置登録を行うことにより、前記通信エリアを切り替える、
請求項１乃至３のいずれか一つに記載の移動体通信システム。
【請求項５】
前記移動体通信端末は、前記取得したコンテンツ情報を記憶する記憶部をさらに有し、
前記取得部は、前記記憶したコンテンツ情報が、前記コンテンツ配信サーバに記憶されているコンテンツ情報よりも古い場合に、切り替え先の前記通信エリアに関するコンテンツ情報を取得する、
請求項１乃至４のいずれか一つに記載の移動体通信システム。
【請求項６】
前記移動体通信端末は、前記移動体通信網を介して接続される位置算出サーバから、前記移動体通信端末の位置を取得する位置取得部をさらに有し、
前記表示部は、前記取得した位置に基づいたコンテンツ情報を表示する、
請求項１乃至５のいずれか一つに記載の移動体通信システム。
【請求項７】
前記移動体通信端末は、前記移動体通信端末の位置を検出する位置検出部をさらに有し、
前記表示部は、前記検出した位置に基づいたコンテンツ情報を表示する、
請求項１乃至５のいずれか一つに記載の移動体通信システム。
【請求項８】
前記通信エリアに関するコンテンツ情報は、地図情報を有する、
請求項１乃至７のいずれか一つに記載の移動体通信システム。
【請求項９】
前記通信エリアに関するコンテンツ情報は、地図情報と、地図情報以外の情報とを有する、
請求項１乃至７のいずれか一つに記載の移動体通信システム。
【請求項１０】
前記取得部は、
前記通信エリアの切り替えに応じて、切り替え先の前記通信エリアに関する前記地図情報を前記コンテンツ配信サーバから取得し、
前記地図情報の取得の後、前記検出した通信エリアに関する前記地図情報以外の情報を前記コンテンツ配信サーバから取得する、
請求項９に記載の移動体通信システム。
【請求項１１】
複数の通信エリアを有する移動体通信網と、前記複数の通信エリアのいずれかの通信エリアで通信する移動体通信端末と、前記移動体通信端末と前記移動体通信網を介して接続されるコンテンツ配信サーバと、を有する移動体通信方法であって、
前記コンテンツ配信サーバは、前記複数の通信エリアに関する複数のコンテンツ情報を記憶し、
前記移動体通信端末は、
通信する前記通信エリアを切り替え、
前記通信エリアの切り替えに応じて、前記コンテンツ配信サーバに記憶された複数のコンテンツ情報のうち、切り替え先の前記通信エリアに関するコンテンツ情報を、前記コンテンツ配信サーバから取得し、
前記取得したコンテンツ情報のうち、前記移動体通信端末の位置に基づいたコンテンツ情報を表示する、
移動体通信方法。
【請求項１２】
移動体通信網に設けられた複数の通信エリアのいずれかの通信エリアで通信し、前記移動体通信網を介してコンテンツ配信サーバと接続される移動体通信端末であって、
通信する前記通信エリアを切り替える通信エリア切り替え部と、
前記通信エリアの切り替えに応じて、前記コンテンツ配信サーバに記憶された複数のコンテンツ情報のうち、切り替え先の前記通信エリアに関するコンテンツ情報を、前記コンテンツ配信サーバから取得する取得部と、
前記取得したコンテンツ情報のうち、前記移動体通信端末の位置に基づいたコンテンツ情報を表示する表示部と、を有する、
移動体通信端末。
【請求項１３】
移動体通信網に設けられた複数の通信エリアのいずれかの通信エリアで通信し、前記移動体通信網を介してコンテンツ配信サーバと接続される移動体通信端末用の制御装置であって、
通信する前記通信エリアの切り替えを検出する通信エリア切り替え検出部と、
前記通信エリアの切り替えに応じて、前記コンテンツ配信サーバに記憶された複数の表示用コンテンツ情報のうち、切り替え先の前記通信エリアに関する表示用コンテンツ情報を、前記コンテンツ配信サーバから取得する取得部と、を有する、
移動体通信端末用の制御装置。
【発明の詳細な説明】
【技術分野】
【０００１】
本発明は、移動体通信端末、移動体通信端末用の制御装置、移動体通信システム及び方法に関し、特に、位置に関するコンテンツ情報を表示する移動体通信端末、移動体通信端末用の制御装置、移動体通信システム及び方法に関する。
【背景技術】
【０００２】
近年、携帯電話等の移動体通信端末が広く普及し、通話のみならず様々な機能を有する移動体通信端末が利用されている。例えば、ＧＰＳ（ｇｌｏｂａｌ  ｐｏｓｉｔｉｏｎｉｎｇ  ｓｙｓｔｅｍ）を用いて移動体通信端末の位置を特定し、その位置に関する情報（コンテンツ情報）を移動体通信端末の画面に表示する移動体通信システムが知られている。
【０００３】
図７は、従来の移動体通信端末において位置に関する情報を表示する方法を示している。この方法は、現在地に関する情報をコンテンツサーバから取得し移動体通信端末の画面に表示する方法である。
【０００４】
まず、移動体通信端末は、基地局の通信エリアに移動するとその基地局に位置登録をする（Ｓ７０１）。基地局に位置登録することにより、移動体通信網側で、どの基地局の通信エリアに移動体通信端末が属しているか認識できるようになる。そして、移動体通信端末は、基地局を介して通話等の通信を行うことができる（Ｓ７０２）。
【０００５】
次いで、移動体通信端末は、通話のほか、ユーザの操作等に従い、位置に関する情報の表示処理を行う（Ｓ７０３〜Ｓ７０５）。
【０００６】
ユーザの操作等により位置に関する情報の表示処理が開始されると、移動体通信端末は、ＧＰＳ等を利用して現在地を検出する（Ｓ７０３）。次いで、移動体通信端末は、検出した現在地付近を対象エリアとする地図情報等のコンテンツ情報をコンテンツサーバから取得する（Ｓ７０４）。次いで、移動体通信端末は、現在地付近の地図情報等を画面に表示する（Ｓ７０５）。こうして、位置に関する情報の表示処理が終了する。
【０００７】
尚、従来の携帯電話を用いて地図等を表示するシステムとして特許文献１及び２が知られている。
【特許文献１】特開２００４−１３８５８２号公報
【特許文献２】特開２００３−９２０４号公報
【発明の開示】
【発明が解決しようとする課題】
【０００８】
しかしながら、上記従来の方法では、地図情報等の位置に関する情報（コンテンツ情報）の表示処理が開始されてから表示が終了するまでに、レイテンシ（遅延）が大きく、処理時間が長いという問題がある。
【０００９】
すなわち、図７の方法では、地図情報等の取得は移動体通信端末が現在地を検出した後に行われる。一般に、地図情報等はビットマップ形式等の画像データでありデータ量が大きいため、コンテンツサーバからインターネットや基地局等の通信網を介して受信するまでに時間がかかってしまう。したがって、移動体通信端末が現在地を検出し、コンテンツサーバに地図情報等の取得を要求してから、これらの情報をコンテンツサーバから取得するまでの取得時間が遅延時間となってしまうのである。
【課題を解決するための手段】
【００１０】
本発明にかかる移動体通信システムは、複数の通信エリアを有する移動体通信網と、前記複数の通信エリアのいずれかの通信エリアで通信する移動体通信端末と、前記移動体通信端末と前記移動体通信網を介して接続されるコンテンツ配信サーバと、を有する移動体通信システムであって、前記コンテンツ配信サーバは、前記複数の通信エリアに関する複数のコンテンツ情報を記憶する記憶部を有し、前記移動体通信端末は、通信する前記通信エリアを切り替える通信エリア切り替え部と、前記通信エリアの切り替えに応じて、前記コンテンツ配信サーバに記憶された複数のコンテンツ情報のうち、切り替え先の前記通信エリアに関するコンテンツ情報を、前記コンテンツ配信サーバから取得する取得部と、前記取得したコンテンツ情報のうち、前記移動体通信端末の位置に基づいたコンテンツ情報を表示する表示部と、を有するものである。
【００１１】
この移動体通信システムによれば、位置に関する情報（コンテンツ情報）の表示処理の前にあらかじめ地図情報等のコンテンツ情報を取得できるようになる。したがって、位置に関する情報を表示する処理の遅延を軽減し、処理時間を短縮することができる。また、通信エリアの切り替え（移動）に応じて地図情報等を取得することにより、効率よく地図情報等を取得しておくことができる。
【００１２】
本発明にかかる移動体通信方法は、複数の通信エリアを有する移動体通信網と、前記複数の通信エリアのいずれかの通信エリアで通信する移動体通信端末と、前記移動体通信端末と前記移動体通信網を介して接続されるコンテンツ配信サーバと、を有する移動体通信方法であって、前記コンテンツ配信サーバは、前記複数の通信エリアに関する複数のコンテンツ情報を記憶し、前記移動体通信端末は、通信する前記通信エリアを切り替え、前記通信エリアの切り替えに応じて、前記コンテンツ配信サーバに記憶された複数のコンテンツ情報のうち、切り替え先の前記通信エリアに関するコンテンツ情報を、前記コンテンツ配信サーバから取得し、前記取得したコンテンツ情報のうち、前記移動体通信端末の位置に基づいたコンテンツ情報を表示するものである。
【００１３】
この移動体通信方法によれば、位置に関する情報の表示処理の前にあらかじめ地図情報等を取得できるようになる。したがって、位置に関する情報を表示する処理の遅延を軽減し、処理時間を短縮することができる。また、通信エリアの切り替えに応じて地図情報等を取得することにより、効率よく地図情報等を取得しておくことができる。
【００１４】
本発明にかかる移動体通信端末は、移動体通信網に設けられた複数の通信エリアのいずれかの通信エリアで通信し、前記移動体通信網を介してコンテンツ配信サーバと接続される移動体通信端末であって、通信する前記通信エリアを切り替える通信エリア切り替え部と、前記通信エリアの切り替えに応じて、前記コンテンツ配信サーバに記憶された複数のコンテンツ情報のうち、切り替え先の前記通信エリアに関するコンテンツ情報を、前記コンテンツ配信サーバから取得する取得部と、前記取得したコンテンツ情報のうち、前記移動体通信端末の位置に基づいたコンテンツ情報を表示する表示部と、を有するものである。
【００１５】
この移動体通信端末によれば、位置に関する情報の表示処理の前にあらかじめ地図情報等を取得できるようになる。したがって、位置に関する情報を表示する処理の遅延を軽減し、処理時間を短縮することができる。また、通信エリアの切り替えに応じて地図情報等を取得することにより、効率よく地図情報等を取得しておくことができる。
【００１６】
本発明にかかる移動体通信端末用の制御装置は、移動体通信網に設けられた複数の通信エリアのいずれかの通信エリアで通信し、前記移動体通信網を介してコンテンツ配信サーバと接続される移動体通信端末用の制御装置であって、通信する前記通信エリアの切り替えを検出する通信エリア切り替え検出部と、前記通信エリアの切り替えに応じて、前記コンテンツ配信サーバに記憶された複数の表示用コンテンツ情報のうち、切り替え先の前記通信エリアに関する表示用コンテンツ情報を、前記コンテンツ配信サーバから取得する取得部と、を有するものである。
【００１７】
この移動体通信端末用の制御装置によれば、位置に関する情報の表示処理の前にあらかじめ地図情報等を取得できるようになる。したがって、位置に関する情報を表示する処理の遅延を軽減し、処理時間を短縮することができる。また、通信エリアの切り替えに応じて地図情報等を取得することにより、効率よく地図情報等を取得しておくことができる。
【発明の効果】
【００１８】
本発明によれば、位置に関する情報を表示する処理の遅延を軽減し、処理時間を短縮できる移動体通信端末、移動体通信端末用の制御装置、移動体通信システム及び移動体通信方法を提供することができる。
【発明を実施するための最良の形態】
【００１９】
発明の実施の形態１．
まず、本発明の実施の形態１にかかる移動体通信システムについて説明する。本実施形態にかかる移動体通信システムは、移動体通信端末の通信エリアの切り替え（移動）に応じて、あらかじめ該当エリアの地図情報等のコンテンツ情報を取得しておくことを特徴としている。
【００２０】
図１を用いて、本実施形態にかかる移動体通信システムの構成について説明する。この移動体通信システムは、携帯端末１、基地局２、ＧＰＳサーバ３、コンテンツサーバ４、ＧＰＳ衛星５、インターネット６を備えている。移動体通信システムは、基地局２を複数有しており、それぞれの基地局２の通信エリア７内で、携帯端末１と基地局２とが無線通信可能である。基地局２とＧＰＳサーバ３、コンテンツサーバ４は、それぞれインターネット６を介して通信可能に接続されている。
【００２１】
また、この移動体通信システムでは、携帯端末１は通話やデータ通信が可能であるとともに、ＧＰＳを用いた位置検出が可能である。この移動体通信システムは、携帯端末１で正確な位置を検出するのではなく、ＧＰＳサーバ３により位置検出を行うサーバアシスト型のシステムである。サーバアシスト型とすることにより、位置精度の向上や消費電力の低減が可能となり、ＧＰＳ衛星５の電波が届かない位置であっても、正確な位置を検出することができる。
【００２２】
携帯端末１は、携帯電話やＰＨＳ（Ｐｅｒｓｏｎａｌ  Ｈａｎｄｙｐｈｏｎｅ  Ｓｙｓｔｅｍ）等の移動体通信端末（ＭＳ：Ｍｏｂｉｌｅ  Ｓｔａｔｉｏｎ）である。携帯端末１は、基地局２を介して他の携帯端末１等と通話等が可能である。携帯端末１は、基地局２及びインターネット６を介してＧＰＳサーバ３やコンテンツサーバ４等とデータ通信を行うことにより、現在地や地図情報等を取得する。携帯端末１の内部構成については、後述する。
【００２３】
基地局２は、携帯電話基地局（ＢＳ：Ｂａｓｅ  Ｓｔａｔｉｏｎ）であり、携帯端末１と直接無線通信を行う。基地局２は、移動体通信網の一部であり、移動体通信網の末端に設けられている。基地局２は、基地局の通信エリア（セル）７に存在する携帯端末１を登録（位置登録）しておくことにより、登録されている携帯端末１とのみ無線通信することで、効率よく通信を行う。
【００２４】
尚、ここでは、移動体通信網を構成する基地局２以外の装置については、図示を省略している。例えば、移動体通信網は、基地局の他、複数の基地局の回線を収容する移動通信制御局（ＭＣＣ：Ｍｏｂｉｌｅ  Ｃｏｎｔｒｏｌ  Ｓｔａｔｉｏｎ）、複数の移動通信制御局間で通信制御信号を転送する共通線信号網等を有している。移動体通信網は、関門交換機（ＩＧＳ：Ｉｎｔｅｒｃｏｎｎｅｃｔｉｏｎ  Ｇａｔｅｗａｙ  Ｓｗｉｔｃｈ）を介して電話網（他の移動通信網や固定通信網、国際通信網等）とも接続されている。例えば、移動体通信網は、電話網等を介してインターネット６と接続されている。
【００２５】
インターネット６は、基地局２とＧＰＳサーバ３、コンテンツサーバ４を接続する通信網の一例である。インターネット６は、これに限らず、その他の公衆網や、イントラネット等の私設網、その他のＩＰ（Ｉｎｔｅｒｎｅｔ  Ｐｒｏｔｏｃｏｌ）網であってもよい。
【００２６】
コンテンツサーバ（コンテンツ配信サーバ）４は、サーバコンピュータ等により構成されており、位置に関する情報（コンテンツ情報）を配信する処理を実行する。コンテンツサーバ４は、記憶部４１を有しており、この記憶部４１に様々なコンテンツ情報（表示用のコンテンツ情報）を記憶している。ここでは、コンテンツ情報の一例として、地図情報４１１を記憶している。この地図情報４１１は、地図を表す情報であり、例えば、ビットマップ形式等の画像データである。特に、地図情報４１１は、基地局２の通信エリア７に対応する地図の情報である。また、地図情報４１１には、地図のバージョン情報（更新日時や履歴等）が含まれている。コンテンツサーバ４は、基地局２及びインターネット６を介した携帯端末１からの要求に従い、該当する通信エリア７の地図情報４１１を携帯端末１へ送信する。
【００２７】
ＧＰＳ衛星５は、人工衛星の一種であり、ＧＰＳサーバ３等に所定の周波数の電波を送信する。ＧＰＳ衛星５は、地球の上空に複数存在し、それぞれ異なる周波数の電波を送信している。ＧＰＳサーバ３等は、複数のＧＰＳ衛星５から電波を受信し、それぞれのＧＰＳ衛星５との距離を知ることで、地球上の位置（緯度、経度）を検出することができる。
【００２８】
ＧＰＳサーバ（位置算出サーバ）３は、サーバコンピュータ等により構成されており、ＧＰＳを用いた位置算出等の処理を実行する。ＧＰＳサーバ３は、複数のＧＰＳ衛星５からの信号を受信し、基地局２及びインターネット６を介した携帯端末１からの要求に従い、携帯端末１の正確な位置を検出する。
【００２９】
次に、図２を用いて、本実施形態にかかる携帯端末１の構成について説明する。この携帯端末１は、無線通信部１１、記憶部１２、制御部１３、通話部１４、表示部１５、操作部１６を備えている。
【００３０】
無線通信部１１は、アンテナ（不図示）を介して、所定の通信方式により基地局２と無線通信を行う。この無線通信により、他の携帯端末等との間で通話等を行ったり、ＧＰＳサーバ３から位置を取得したり、コンテンツサーバ４から地図情報４１１を取得することができる。また、無線通信部１１は、位置登録することにより通信する通信エリア７を切り替える通信エリア切り替え部として動作する。
【００３１】
記憶部１２は、例えば、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などの半導体メモリで構成される。記憶部１２は、制御部１３で実行する制御プログラムや各種データを記憶する。また、この記憶部１２は、通信している基地局２の通信エリア７の識別情報や、コンテンツサーバ４から取得した地図情報４１１を記憶する。
【００３２】
制御部（制御装置）１３は、例えば、ＣＰＵやキャッシュメモリ等で構成される。制御部１３は、所定の制御プログラムを実行することにより、各要素の動作を制御したり、各要素間のデータ転送を行ったりする。また、制御部１３は、通信エリア７の切り替えに応じて地図情報４１１を取得する取得部としても動作する。さらに、制御部１３は、無線通信部１１が位置登録（通信エリアの切り替え）を行ったことを検出する通信エリア切り替え検出部として動作してもよい。
【００３３】
通話部１４は、例えば、マイクやスピーカ、信号処理装置等で構成される。通話部１４は、無線通信部１１で受信した音声信号を復号化してスピーカから出力したり、マイクから入力された音声を符号化して無線通信部１１へ出力したりする。
【００３４】
表示部１５は、例えば、液晶表示装置等で構成される。表示部１５は、無線通信部１１で受信した画像データや地図情報４１１、記憶部１２に記憶されているアイコンやメニュー等の画像データを表示する。
【００３５】
操作部１６は、例えば、テンキーやその他の機能キー等の各種キーで構成される。ユーザは、これらのキーを操作することにより、所望の通話やデータ通信を行う他、後述する位置に関する情報の表示処理を開始することができる。
【００３６】
次に、図３を用いて、本実施形態にかかる携帯端末において位置に関する情報を表示する方法について説明する。この方法は、携帯端末１の現在地に関する情報をコンテンツサーバ４から取得し携帯端末１の表示部１５に表示する方法である。
【００３７】
まず、携帯端末１は、基地局２の通信エリア７に移動すると基地局２に位置登録（通信エリア７の切り替え）をする（Ｓ３０１）。次いで、携帯端末１は、異なる通信エリア７に移動した場合に必要に応じて対象エリア（通信エリア７）の地図情報４１１をコンテンツサーバ４から取得する（Ｓ３０２）。
【００３８】
Ｓ３０１で基地局２に位置登録することにより、移動体通信網側で、どの基地局２の通信エリア７に携帯端末１が属しているか認識できるようになる。そして、携帯端末１は、基地局２を介して通話等の通信を行うことができる（Ｓ３０３）。
【００３９】
次いで、携帯端末１は、通話のほか、ユーザの操作等に従い、位置に関する情報の表示処理を行う（Ｓ３０４〜Ｓ３０５）。
【００４０】
ユーザによる操作部１６の操作等により、位置に関する情報の表示処理が開始されると、携帯端末１は、ＧＰＳサーバ３に位置の検出を要求することにより現在地を検出する（Ｓ３０４）。次いで、携帯端末１は、Ｓ３０２で取得した通信エリア７の地図情報４１１のうち、現在地付近の地図情報４１１を表示部１５に表示する（Ｓ３０５）。こうして、位置に関する情報の表示処理が終了する。
【００４１】
さらに、図４を用いて、図３の位置に関する情報を表示する方法について詳細に説明する。尚、図３のＳ３０１〜Ｓ３０３が図４のＳ４０１〜Ｓ４１１に対応し、図３のＳ３０４〜Ｓ３０５が図４のＳ４１２〜Ｓ４１９に対応している。
【００４２】
まず、基地局２は、定期的にブロードキャストメッセージを送信する（Ｓ４０１）。例えば、基地局２は、セル内の共通チャネルであるＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）に多重化された、制御情報を通知するためのＢＣＣＨ（Ｂｒｏａｄｃａｓｔ  Ｃｏｎｔｒｏｌ  Ｃｈａｎｎｅｌ）により、所定のメッセージをセル内の全ての携帯端末１へ定期的に送信する。
【００４３】
次いで、携帯端末１は、通信エリア７を検出する（Ｓ４０２）。例えば、携帯端末１は、電界強度の最も強い基地局２のＰＣＣＰＣＨを受信し、ＢＣＣＨで転送される通信エリア７の識別情報を取得する。
【００４４】
次いで、携帯端末１は、異なるセルに移動したかどうか判定する（Ｓ４０３）。例えば、携帯端末１は、Ｓ４０２でＢＣＣＨから取得した通信エリア７の識別情報と、記憶部１２に記憶されている以前の通信エリア７の識別情報とを比較し、これらの識別情報が異なればセルを移動したと判定し、これらの識別情報が同一であればセルを移動していないと判定する。
【００４５】
Ｓ４０３において、セルを移動したと判定した場合、携帯端末１は、基地局２に位置登録をする（Ｓ４０４）。例えば、携帯端末１は、セルを移動した場合、通信エリアの切り替え、すなわち、基地局２へ位置登録を要求するとともに、携帯端末１の記憶部１２に、通信エリア７の識別情報を保持する。基地局２に位置登録した後は、再び、ブロードキャストメッセージを受信し（Ｓ４０１）、必要に応じて地図情報４１１が取得される。
【００４６】
尚、Ｓ４０４で基地局２に位置登録したタイミング（通信エリア７の移動を検出したタイミング）で、Ｓ４０５〜Ｓ４１０により地図情報４１１を取得してもよい。この場合、できるだけ早い時期に地図情報４１１を取得することができる。ここでは、携帯端末１は、Ｓ４０４で位置登録した後の次のブロードキャストメッセージを受信したタイミング（通信エリア７の移動を検出後、所定の期間経過したタイミング）で地図情報４１１を取得する。これにより、携帯端末１の位置がすぐに変わってしまうような不安定な状態では、地図情報４１１を取得せずに、所定の期間、携帯端末１の位置が変わらず安定した状態となってから、地図情報４１１を取得するようになり、地図情報４１１の取得処理を効率よく行うことができる。
【００４７】
Ｓ４０３において、セルを移動していないと判定した場合、携帯端末１は、地図情報４１１があるかどうか判定する（Ｓ４０５）。例えば、携帯端末１は、現在のセルの地図情報４１１が記憶部１２に記憶されているかどうか判定する。
【００４８】
Ｓ４０５において、地図情報４１１があると判定した場合、携帯端末１は、コンテンツサーバ４へ、対象セルの地図バージョンの取得要求を送信する（Ｓ４０６）。例えば、携帯端末１は、現在のセルの地図情報４１１のバージョン情報の取得をコンテンツサーバ４へ要求する。
【００４９】
次いで、コンテンツサーバ４は、携帯端末１へ、対象セルの地図バージョンを送信する（Ｓ４０７）。例えば、コンテンツサーバ４は、記憶部４１を参照し、携帯端末１から要求されたセルの地図情報４１１のバージョン情報を、携帯端末１へ応答する。
【００５０】
次いで、携帯端末１は、保持している地図情報４１１のバージョンが古いかどうか判定する（Ｓ４０８）。例えば、携帯端末１は、記憶部１２に記憶されている地図情報４１１のバージョン情報と、Ｓ４０７でコンテンツサーバ４から送信されたバージョン情報とを比較し、これらのバージョン情報が異なれば地図情報４１１は古いと判定し、これらのバージョン情報が同一であれば地図情報４１１は新しいと判定する。
【００５１】
また、Ｓ４０８において、保持している地図情報４１１のバージョンが新しいと判定した場合、携帯端末１は、地図情報４１１を取得せず、保持している地図情報４１１を使用して、以下の表示処理を行う。
【００５２】
次いで、携帯端末１は、ユーザの操作等に従い、通話等を行う（Ｓ４１１）。例えば、携帯端末１は、操作部１６によるキー操作や、通話部１４による音声の入出力に応じて通話やデータ通信等を行う。
【００５３】
次いで、ユーザの操作等により位置に関する情報の表示処理が開始されると、携帯端末１は、ＧＰＳサーバ３へ、位置検出要求を送信する（Ｓ４１２）。例えば、携帯端末１は、ＧＰＳサーバ３へ、現在の通信エリア７の識別情報等を送信し、現在地の検出を要求する。
【００５４】
次いで、ＧＰＳサーバ３は、衛星情報を検索する（Ｓ４１３）。次いで、ＧＰＳサーバ３は、携帯端末１へ、衛星情報を送信する（Ｓ４１４）。例えば、ＧＰＳサーバ３は、Ｓ４１２で受信した通信エリア７の識別情報等に基づき、位置の算出に適した衛星を検索し、該当する衛星の情報を携帯端末１へ送信する。
【００５５】
次いで、携帯端末１は、暫定位置を算出する（Ｓ４１５）。次いで、携帯端末１は、ＧＰＳサーバ３へ、暫定位置情報を送信する（Ｓ４１６）。例えば、携帯端末１は、Ｓ４１４でＧＰＳサーバ３から送信された衛星情報に基づき、暫定位置を概算し、概算した暫定位置情報をＧＰＳサーバ３へ送信する。
【００５６】
次いで、ＧＰＳサーバ３は、正確な位置を算出する（Ｓ４１７）。次いで、ＧＰＳサーバ３は、携帯端末１へ、正確な位置の算出結果を送信する（Ｓ４１８）。例えば、ＧＰＳサーバ３は、Ｓ４１６で携帯端末１から送信された暫定位置情報に基づき、携帯端末１の位置を最終的に正確に算出し、この算出結果を携帯端末１へ送信する。
【００５７】
次いで、携帯端末１は、現在地に対応する地図情報４１１を表示する。例えば、携帯端末１は、記憶部１２を参照し、Ｓ４１０で取得した地図情報４１１のうち、Ｓ４１８でＧＰＳサーバ３から送信された正確な位置に基づく部分の情報を表示部１５に表示する。こうして、位置に関する情報の表示処理が終了する。
【００５８】
以上説明したように、本実施形態では、位置に関する情報の表示処理の開始前、すなわち、現在地の検出前に、あらかじめ地図情報を取得しておくことにより、表示処理では地図情報を取得する必要がなくなるため、表示処理における遅延を軽減し、処理時間を短縮することができる。
【００５９】
また、携帯端末が通信エリアを切り替える（移動する）タイミングに応じて、地図情報等のコンテンツ情報を取得しておくことにより、現在地付近の地図情報等を効率よく取得しておくことができる。移動体通信システムにおいては、通信エリアの検出や基地局への位置登録（通信エリアの切り替え）は、移動のたびに常に行われているため、効果が大きい。
【００６０】
さらに、携帯端末は、基地局への位置登録後、すぐに、通話やデータ通信が可能であり、この通話等の処理のバックグラウンドで、地図情報を取得しておくことができるため、ユーザが感じる遅延をより低減することができる。
【００６１】
発明の実施の形態２．
次に、本発明の実施の形態２にかかる移動体通信システムについて説明する。本実施形態にかかる移動体通信システムは、移動体通信端末の通信エリアの切り替えに応じて、あらかじめ該当エリアの地図情報を取得しておき、これとは別のタイミングで地図情報以外のコンテンツ情報を取得することを特徴としている。
【００６２】
本実施形態にかかる移動体通信システムの全体の構成は図１と同様であり、携帯端末の構成も図２と同様のため、説明を省略する。
【００６３】
ここで、図５を用いて、本実施形態にかかる携帯端末において位置に関する情報を表示する方法について説明する。この方法は、図３と同様に、携帯端末１の現在地に関する情報をコンテンツサーバ４から取得し携帯端末１の表示部１５に表示する方法である。尚、図５において、図３と同一の符号を付された処理は同様の処理であり、それらの説明を適宜省略する。
【００６４】
まず、携帯端末１は、基地局２に位置登録をし（Ｓ３０１）、必要に応じて対象エリア（通信エリア７）の地図情報４１１をコンテンツサーバ４から取得し（Ｓ３０２）、通話等の通信を行う（Ｓ３０３）。
【００６５】
次いで、ユーザによる操作部１６の操作等により、位置に関する情報の表示処理が開始されると、携帯端末１は、現在地を検出する（Ｓ３０４）。
【００６６】
次いで、携帯端末１は、対象エリア（通信エリア７）のコンテンツ情報をコンテンツサーバ４から取得する（Ｓ３０６）。本実施形態では、コンテンツサーバ４は、記憶部４１に地図情報４１１のほか、コンテンツ情報４１２を記憶している。このコンテンツ情報４１２は、地図以外のコンテンツ情報であり、例えば、地図内の店舗や公共施設、イベント等の施設情報である。コンテンツ情報４１２は、テキスト形式等のデータであり、地図情報よりもデータ量が小さいデータである。
【００６７】
例えば、携帯端末１は、現在のセルのコンテンツ情報４１２の取得をコンテンツサーバ４へ要求し、コンテンツサーバ４は、要求されたセルに対応するコンテンツ情報４１２を携帯端末１へ転送する。このときのコンテンツ情報４１２の転送は、対象セル（通信エリア７）の全ての情報でもよいし、一部の情報でもよい。例えば、ユーザが必要とするコンテンツの情報をあらかじめ選択しておき、この選択された部分のコンテンツ情報のみを転送してもよい。
【００６８】
次いで、携帯端末１は、Ｓ３０２で取得した通信エリア７の地図情報４１１のうち現在地付近の情報と、Ｓ３０６で取得した通信エリア７のコンテンツ情報４１２のうち現在地付近の情報を表示部１５に表示する（Ｓ３０５）。こうして、位置に関する情報の表示処理が終了する。
【００６９】
このように、コンテンツサーバに地図情報と地図以外のコンテンツ情報を有する場合に、地図情報とは別のタイミングでコンテンツ情報を取得してもよい。小さなデータ量のコンテンツ情報を、位置に関する情報の表示処理内で取得しても、処理の遅延にはあまり影響しないため、実施形態１と同様に、遅延の軽減、処理時間の短縮を図ることができる。
【００７０】
発明の実施の形態３．
次に、本発明の実施の形態３にかかる移動体通信システムについて説明する。本実施形態にかかる移動体通信システムは、移動体通信端末の通信エリアの切り替えに応じて、あらかじめ該当エリアの地図情報を取得しておき、携帯端末で位置を検出することを特徴としている。
【００７１】
図６を用いて、本実施形態にかかる移動体通信システムの構成について説明する。図６において、図１と同一の符号を付されたものは同様の要素であり、それらの説明を適宜省略する。この移動体通信システムは、図１の構成から、ＧＰＳサーバ３を除いた構成である。また、携帯端末１は、図２の構成に加えてＧＰＳ受信部１７を有している。
【００７２】
本実施形態では、携帯端末１は、ＧＰＳサーバを用いたサーバアシスト型ではなく、携帯端末自身で、位置を検出する。携帯端末１は、ＧＰＳ受信部１７により、複数のＧＰＳ衛星５から電波を受信し、それぞれのＧＰＳ衛星５の距離により、現在地を検出する。
【００７３】
位置に関する情報を表示する方法については、図３及び図４と同様である。例えば、図３のＳ３０４、図４のＳ４１２〜Ｓ４１８の処理は、携帯端末１がＧＰＳ衛星５からの電波に基づき現在地を検出する処理となる。
【００７４】
このように、ＧＰＳサーバを用いて携帯端末の位置を検出してもよいし、携帯端末で現在地を検出してもよい。これにより、ＧＰＳサーバを有しないシステム、すなわち、サーバアシスト型以外のシステムであっても、本発明を適用することができ、実施形態１と同様に、遅延の軽減、処理時間の短縮を図ることができる。
【００７５】
また、上記以外の方法で携帯端末の位置を検出してもよい。例えば、図１と図６を組み合わせ、電波の状況等に応じて、ＧＰＳサーバで位置を検出したり、携帯端末で位置を検出してもよい。
【００７６】
尚、上述の例では、携帯端末を用いて地図情報等を配信するシステムとして説明したが、これに限らず、その他のシステムであってもよい。例えば、基地局と通信するとともに地図情報をダウンロードするカーナビゲーションシステムでもよい。
【００７７】
また、地図情報を通信網を介してダウンロードせずに、基地局と通信する携帯端末にあらかじめ地図情報を有していてもよい。この場合、携帯端末の通信エリアの移動に基づき、大量の地図情報から通信エリア内の地図情報をキャッシュメモリ等に保持しておくことで、地図情報にアクセスする時間を大幅に短縮することができる。
【００７８】
このほか、本発明の要旨を逸脱しない範囲で種々の変形、実施が可能である。
【図面の簡単な説明】
【００７９】
【図１】本発明にかかる移動体通信システムの構成図である。
【図２】本発明にかかる携帯端末のブロック図である。
【図３】本発明にかかる位置に関する情報の表示方法を示すフローチャートである。
【図４】本発明にかかる位置に関する情報の表示方法を示すフローチャートである。
【図５】本発明にかかる位置に関する情報の表示方法を示すフローチャートである。
【図６】本発明にかかる移動体通信システムの構成図である。
【図７】従来の位置に関する情報の表示方法を示すフローチャートである。
【符号の説明】
【００８０】
１  携帯端末
２  基地局
３  ＧＰＳサーバ
４  コンテンツサーバ
５  ＧＰＳ衛星
６  インターネット
７  通信エリア
１１  無線通信部
１２  記憶部
１３  制御部
１４  通話部
１５  表示部
１６  操作部
１７  ＧＰＳ受信部
４１  記憶部
４１１  地図情報
４１２  コンテンツ情報
【図１】
2006217105.tif 000003
【図２】
2006217105.tif 000004
【図３】
2006217105.tif 000005
【図４】
2006217105.tif 000006
【図５】
2006217105.tif 000007
【図６】
2006217105.tif 000008
【図７】
2006217105.tif 000009